(57)【要約】  コンピュータに、設備の配置を示すマップ上に点検箇所を示すポインタを表示させ、前記ポインタが、他の点検箇所を示す他のポインタとの間で点検順が登録されたポインタである場合は、該ポインタが示す点検箇所についての点検結果の入力画面から他の点検結果の入力画面への切り替え操作に応じて、前記点検順において前記ポインタの一つ前のポインタに対応する点検結果の入力画面への画面の切り替え制御を許容する処理を実行させる。
2015087425.tif 000002
【特許請求の範囲】
【請求項１】
コンピュータに、
設備の配置を示すマップ上に点検箇所を示すポインタを表示させ、
前記ポインタが、他の点検箇所を示す他のポインタとの間で点検順が登録されたポインタである場合は、該ポインタが示す点検箇所についての点検結果の入力画面から他の点検結果の入力画面への切り替え操作に応じて、前記点検順において前記ポインタの一つ前のポインタに対応する点検結果の入力画面への画面の切り替え制御を許容する、
処理を実行させることを特徴とする設備点検作業支援プログラム。
【請求項２】
前記設備の点検作業を完了する旨の指示入力を受け付け、
前記完了する旨の指示入力を受け付けた後に、前記切り替え制御を許容しない、
処理を実行させることを特徴とする請求項１に記載の設備点検作業支援プログラム。
【請求項３】
設備の配置を示すマップ上に点検箇所を示すポインタを表示し、
点検順として後続する点検箇所が登録された第１のポインタについての点検結果の入力途中又は入力後に、該後続する点検箇所とは異なる第２のポインタの選択を受けると、該第２のポインタが示す点検箇所についての点検結果の入力を許容し、
前記第２のポインタが示す前記点検箇所についての点検結果の入力後、前記後続する点検箇所についての点検結果の入力画面へ移行することを許容する、
処理をコンピュータに実行させることを特徴とする設備点検作業支援プログラム。
【請求項４】
前記第２のポインタが示す前記点検箇所についての点検結果の入力後、前記マップを表示する指示を受け付け、
前記マップとして、前記後続する点検箇所に対応するポインタを中心にしたマップを表示する、
処理をコンピュータに実行させることを特徴とする請求項３に記載の設備点検作業支援プログラム。
【請求項５】
前記マップには、マップ間の階層関係を示す情報が対応づけられており、
前記点検箇所を示すポインタのそれぞれは、いずれかの前記マップと対応づけられており、
前記第２のポインタと前記後続する点検箇所に対応するポインタとのそれぞれに対応付けられているマップの階層が異なる場合に、該第２のポインタから該後続する点検箇所に対応するポインタへ、前記階層を辿ってマップを切り替えて表示する、
処理をコンピュータに実行させることを特徴とする請求項３に記載の設備点検作業支援プログラム。
【請求項６】
コンピュータによる設備点検作業支援方法であって、該コンピュータが、
設備の配置を示すマップ上に点検箇所を示すポインタを表示させ、
前記ポインタが、他の点検箇所を示す他のポインタとの間で点検順が登録されたポインタである場合は、該ポインタが示す点検箇所についての点検結果の入力画面から他の点検結果の入力画面への切り替え操作に応じて、前記点検順において前記ポインタの一つ前のポインタに対応する点検結果の入力画面への画面の切り替え制御を許容する、
設備点検作業支援方法。
【請求項７】
設備の配置を示すマップ上に表示される、点検箇所を示すポインタの情報を取得するポインタ情報取得部と、
前記情報に基づき表示された前記ポインタが、他の点検箇所を示す他のポインタとの間で点検順が登録されたポインタである場合は、該ポインタが示す点検箇所についての点検結果の入力画面から他の点検結果の入力画面への切り替え操作に応じて、前記点検順において前記ポインタの一つ前のポインタに対応する点検結果の入力画面への画面の切り替え制御を許容する表示制御部と、を有することを特徴とする設備点検作業支援装置。
【発明の詳細な説明】
【技術分野】
【０００１】
本発明は、設備の点検作業を支援する設備点検作業支援プログラム、設備点検作業支援方法及び設備点検作業支援装置に関する。
【背景技術】
【０００２】
従来から、例えば工場内等で行われる設備点検作業を支援するシステムが知られている。支援の方法としては、例えば点検を行うルートに基づいて、次に点検を実施する箇所を特定する手法等が知られている。
【先行技術文献】
【特許文献】
【０００３】
【特許文献１】特開２０１１−１８６６２１号公報
【発明の概要】
【発明が解決しようとする課題】
【０００４】
従来の手法では、予め決められた順番に点検箇所を巡回して点検作業を行うことは考慮されているが、例えば点検作業において突発的に点検する順番を入れ替える場合や、点検箇所が増えた場合等については考慮されていない。【０００５】
一つの側面では、予め決められた点検の順番を変更することが可能な設備点検作業支援プログラム、設備点検作業支援方法及び設備点検作業支援装置を提供することを目的としている。
【課題を解決するための手段】
【０００６】
一様態によれば、コンピュータに、設備の配置を示すマップ上に点検箇所を示すポインタを表示させ、前記ポインタが、他の点検箇所を示す他のポインタとの間で点検順が登録されたポインタである場合は、該ポインタが示す点検箇所についての点検結果の入力画面から他の点検結果の入力画面への切り替え操作に応じて、前記点検順において前記ポインタの一つ前のポインタに対応する点検結果の入力画面への画面の切り替え制御を許容する、処理を実行させる。【０００７】
上記各処理は、上記各処理を実行する機能部、上記各処理を実現する方法、そのプログラムを記憶したコンピュータ読み取り可能な記憶媒体とすることもできる。
【発明の効果】
【０００８】
予め決められた点検の順番を変更することができる。
【図面の簡単な説明】
【０００９】
【図１】設備点検作業支援システムのシステム構成の一例を示す図である。
【図２】ピン定義データベースの一例を示す図である。
【図３】ピン記録データベースの一例を示す図である。
【図４】経路定義データベースの一例を示す図である。
【図５】経路記録データベースの一例を示す図である。
【図６】マップ定義データベースの一例を示す図である。
【図７】マップの階層について説明する図である。
【図８】端末装置のハードウェア構成の一例を示す図である。
【図９】設備点検作業支援システムの有する各装置の機能を説明する図である。
【図１０】端末装置の動作を説明するフローチャートである。
【図１１】点検経路の一覧画面の例を示す図である。
【図１２】点検対象の場所と点検順とが表示された画面の例を示す図である。
【図１３】点検結果の入力画面の表示の処理を説明するフローチャートである。
【図１４】点検ピンに対応する入力画面の例を示す図である。
【図１５】点検ピンの挿入の処理を説明するフローチャートである。
【図１６】点検ピンを挿入する画面の例を示す図である。
【図１７】マップの表示を切り替える処理を説明するフローチャートである。
【図１８】マップの表示の例を示す第一の図である。
【図１９】マップの表示の例を示す第二の図である。
【図２０】マップの表示の例を示す第三の図である。
【図２１】マップの表示の例を示す第四の図である。
【図２２】マップの表示の例を示す第五の図である。
【発明を実施するための形態】
【００１０】
以下に図面を参照して実施形態について説明する。図１は、設備点検作業支援システムのシステム構成の一例を示す図である。
【００１１】
設備点検作業支援システム１００は、端末装置２００とサーバ３００とがネットワークを介して接続されている。
【００１２】
本実施形態の設備点検作業支援システム１００は、例えば工場や発電所等のプラント内において、点検作業者により行われる各種設備の点検作業を支援する。
【００１３】
本実施形態のサーバ３００は、ピン定義データベース３１０、ピン記録データベース３２０、経路定義データベース３３０、経路記録データベース３４０、マップ定義データベース３５０を有する。
【００１４】
本実施形態の端末装置２００は、点検作業者により設備点検作業支援プログラムが起動されると、点検作業の支援を行う。具体的には端末装置２００は、ピン定義データベース３１０と、経路定義データベース３３０と、マップ定義データベース３５０とを参照し、点検経路に基づき、点検箇所を示すポインタ（以下、ピン）を表示させる。また本実施形態の端末装置２００は、ピン定義データベース３１０を参照し、点検順に沿って、ピンに対応した項目の入力欄を含む入力画面を表示させ、点検結果を入力させる。本実施形態の端末装置２００は、点検経路に含まれる全てのピンについて点検結果が入力されると、点検結果をサーバ３００へ送信し、ピン記録データベース３２０と経路記録データベース３４０とに格納させる。
【００１５】
以上のように本実施形態の端末装置２００は、点検順に沿ってピンに対応した入力画面を表示させて点検結果を入力させることで、点検作業者による点検作業を支援する設備点検作業支援装置の機能を果たす。
【００１６】
また本実施形態の端末装置２００は、点検作業者の操作に応じて入力画面を切り替えることができ、予め設定された点検順以外の順番で点検箇所の点検を行うことができる。すなわち端末装置２００では、予め決められた点検の順番を変更することができる。
【００１７】
以下に図２乃至図６を参照し、本実施形態のサーバ３００の有する各データベースについて説明する。
【００１８】
図２は、ピン定義データベースの一例を示す図である。
【００１９】
本実施形態のピン定義データベース３１０は、情報の項目として、ピンＩＤ、ピン名称、ピン種別、入力項目、マップＩＤ、マップ所属、マップ座標を有し、ピンＩＤにその他の項目が対応付けられている。以下の本実施形態の説明では、ピン定義データベース３１０においてピンＩＤと対応付けられた項目の情報をピン情報と呼ぶ。
【００２０】
ピンＩＤは、ピンを識別するための識別子である。ピン名称は、ピンの名前である。ピン種別は、ピンの種類を示す。本実施形態では、ピンの種類として、階層ピンと点検ピンとを有する。階層ピンは、後述するマップ（地図）における階層を示すピンである。点検ピンは、後述するマップにおける点検箇所を示すピンである。
【００２１】
以下の説明では、ピン種別が階層ピンであるピンを階層ピンと呼び、ピン種別が点検ピンであるピンを点検ピンと呼ぶ。
【００２２】
入力項目は、点検作業における点検結果が入力される入力欄と対応する項目である。本実施形態では、点検ピンと対応付けられており、ピン毎に入力項目が決められている。
【００２３】
マップＩＤは、階層ピンと対応付けられており、階層ピンにより示される階層のマップを示す。マップ所属は、点検ピン及び階層ピンと対応付けられており、点検ピン及び階層ピンが含まれるマップを示す。マップ座標は、点検ピンと対応付けられており、点検ピンが含まれるマップにおける点検ピンの位置を示す。
【００２４】
図２の例では、ピンＩＤがＰ００００のピンは、名称が「構内図」の階層ピンである。ピンＩＤ「Ｐ００００」の階層ピンは、マップＩＤ「Ｍ０００１」と対応付けられている。また図２の例では、ピンＩＤがＰ０００１のピンは、名称が「設備Ａ点検」の点検ピンである。ピンＩＤ「Ｐ０００１」の点検ピンは、入力項目として「温度」と「圧力」があり、マップＩＤ「Ｍ０００１」のマップにおける座標（１０，１０）に位置している。
【００２５】
また図２の例では、ピンＩＤがＰ０００３のピンは、名称が「設備Ｃ」の階層ピンである。ピンＩＤ「Ｐ０００３」の階層ピンは、マップＩＤ「Ｍ０００１」のマップに所属し、座標が（３０、２０）であるとともに、マップＩＤ「Ｍ０００２」と対応付けられている。即ち、階層ピン「Ｐ０００３」によって、マップ「Ｍ０００１」からマップ「Ｍ０００２」へつながる階層が定義されていることになる。
【００２６】
図３は、ピン記録データベースの一例を示す図である。
【００２７】
本実施形態のピン記録データベース３２０は、点検ピン毎の点検結果が格納される。
【００２８】
ピン記録データベース３２０は、情報の項目として、ピンＩＤ、日付、時間、入力項目、入力値、経路ＩＤ、経路記録ＩＤを有し、ピンＩＤとその他の項目とが対応付けられている。以下の本実施形態の説明では、ピン記録データベース３２０においてピンＩＤと対応付けられた項目の情報をピン記録情報と呼ぶ。
【００２９】
本実施形態のピン記録データベース３２０において、日付と時間は、入力項目に入力値が入力された日時を示す。入力項目は、点検ピンに対応する入力項目であり、入力値は、入力項目に対応して入力された入力値である。
【００３０】
また経路ＩＤは、点検ピンが含まれる点検経路を識別するための識別子である。経路記録ＩＤは、点検経路毎の点検結果を識別するための識別子である。
【００３１】
図３の例では、ピンＩＤがＰ０００２の点検ピンに対する点検結果として、２０１３／１１／２５の１１：２８：１２に入力項目「水圧」と対応する入力欄に入力値「０．３８」が入力されている。またピンＩＤがＰ０００２の点検ピンは、経路ＩＤＲ０００１で識別される点検経路に含まれており、ピンＩＤがＰ０００２の点検ピンの点検結果は、経路記録ＩＤＲｅｃ０００１で識別される経路記録に含まれる。
【００３２】
図４は、経路定義データベースの一例を示す図である。
【００３３】
本実施形態の経路定義データベース３３０は、情報の項目として、経路ＩＤと、経路名称と、ピンＩＤとを有し、経路ＩＤにその他の項目が対応付けられている。以下の本実施形態の説明では、経路定義データベース３３０において経路ＩＤと対応付けられた項目の情報を経路情報と呼ぶ。
【００３４】
本実施形態の経路定義データベース３３０では、経路ＩＤとピンＩＤとが対応付けることで、経路ＩＤで示される点検経路に、ピンＩＤで示されるピンが含まれることを示す。
【００３５】
図４の例では、経路ＩＤＲ０００１であり、名称が「経路イ」の点検経路には、ピンＩＤＰ０００１、ＩＤＰ０００２、ＩＤＰ０００４の点検ピンと、ピンＩＤＰ０００３の階層ピンとが含まれる。
【００３６】
図５は、経路記録データベースの一例を示す図である。
【００３７】
本実施形態の経路記録データベース３４０は、情報の項目として、経路ＩＤ、経路記録ＩＤ、ステータス、完了日付、完了時間を有し、経路ＩＤにその他の項目が対応付けられている。以下の本実施形態の説明では、経路記録データベース３４０において経路ＩＤと対応付けられた項目の情報を経路記録情報と呼ぶ。
【００３８】
経路記録データベース３４０におけるステータスは、経路ＩＤで示される点検経路の点検作業の状態を示す。完了日付と完了時間は、経路ＩＤで示される点検経路の点検作業が完了した日と完了した時間である。
【００３９】
図５の例では、経路ＩＤＲ０００１の点検経路の点検結果は、２０１３年１１月２５日の１１：３２：３０に完了し、経路記録ＩＤＲｅｃ０００１として記録されている。
【００４０】
図６は、マップ定義データベースの一例を示す図である。
【００４１】
本実施形態のマップ定義データベース３５０は、情報の項目として、マップＩＤ、マップ名称、ファイル名を有し、マップＩＤにその他の項目が対応付けられている。以下の本実施形態の説明では、マップ定義データベース３５０においてマップＩＤと対応付けられた項目の情報をマップ情報と呼ぶ。
【００４２】
マップ名称は、マップの名前であり、ファイル名は端末装置２００にマップを表示させる際に用いるファイルの名称である。
【００４３】
図６の例では、マップＩＤＭ０００１で識別されるマップの名称は「構内図」であり、このマップを表示させる際に使用するファイルは「構内図．ｊｐｇ」である。
【００４４】
本実施形態のマップ定義データベース３５０では、例えば点検対象となる工場等の全体の領域を示すファイル、点検作業を行う設備を示すファイル、点検作業を行う設備内の機器を示すファイル等を異なる階層のマップとして有している。
【００４５】
以下に図７を参照してマップの階層について説明する。図７は、マップの階層について説明する図である。図７（Ａ）は、第一層のマップの例を示し、図７（Ｂ）は、第二層のマップの例を示し、図７（Ｃ）は、第ニ層のうち点検対象箇所を拡大したマップの例を示す。
【００４６】
図７（Ａ）に示すマップ７１は、設備が配置された領域を示す。マップ７１は例えば、マップ定義データベース３５０に登録されているマップ「Ｍ０００１」の構内図である。マップ７１には、階層ピンＰ３と、点検ピンＰ１、点検ピンＰ２が表示される。本実施形態では、階層ピン及び点検ピンをマップ上に表示させる際に、ピンの種別に応じたアイコン画像で表示させることが好ましい。
【００４７】
図７（Ｂ）に示すマップ７２は、マップ７１の下の階層にあるマップであり、階層ピンＰ３で示される領域に設備の概略を示している。すなわちマップ７２は、マップ７１において階層ピンＰ３で示される領域のさらなる詳細を示している。マップ７２は例えば、マップ定義データベースに登録されているマップ「Ｍ０００２」の設備Ｃ概観図である。マップ７２には、点検ピンＰ４が表示されている。点検ピンＰ４は、マップ７２として表示される設備内において点検対象となる機器を示している。
【００４８】
図７（Ｃ）に示すマップ７３は、マップ７２のうち点検対象箇所を拡大表示した状態のマップであり、例えば点検ピンＰ４が示している点検対象の機器の見取り図である。
【００４９】
すなわち本実施形態では、階層が下に行く程、点検箇所をより詳細に示した画像が端末装置２００に表示されるようになる。本実施形態において、マップ定義データベース３５０に格納された各マップの階層の関係は、例えば各マップと対応付けられたピンと、ピンの含まれる点検経路により示される。
【００５０】
本実施形態のマップ定義データベース３５０には、例えばマップ７１、マップ７２、マップ７３のそれぞれを表示させるためのマップのファイル名（例えば画像データ等）が、マップＩＤ及びマップ名称と対応付けられて格納されている。尚本実施形態では、マップを表示させるためのファイルの実体がマップ定義データベース３５０内に格納されていても良いし、ファイルの実体が他の記憶装置に格納されていても良い。
【００５１】
また本実施形態のマップ定義データベース３５０では、各マップＩＤと、各マップの階層の関係を示す情報が対応付けられていても良い。具体的には例えば、マップＩＤＭ０００１のマップの１つ下の階層のマップは、マップＩＤＭ０００２のマップである。よってマップＩＤＭ０００２には、例えばマップＩＤＭ０００１の１階層下であることを示すＭ０００１−１等という情報が対応付けられていても良い。
【００５２】
次に図８を参照して本実施形態の端末装置２００のハードウェア構成について説明する。図８は、端末装置のハードウェア構成の一例を示す図である。
【００５３】
本実施形態の端末装置２００は、それぞれバスＢで相互に接続されている表示操作装置２１、ドライブ装置２２、補助記憶装置２３、メモリ装置２４、演算処理装置２５、インターフェース装置２６を有する。
【００５４】
表示操作装置２１は、例えばタッチパネル等であり、表示機能と情報の入力の機能とを有する。インターフェース装置２６は、モデム，ＬＡＮカード等を含み、ネットワークに接続する為に用いられる。
【００５５】
設備点検作業支援プログラムは、端末装置２００を制御する各種プログラムの少なくとも一部である。設備点検作業支援プログラムは例えば記録媒体２７の配布やネットワークからのダウンロードなどによって提供される。設備点検作業支援プログラムを記録した記録媒体２７は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００５６】
また設備点検作業支援プログラムを記録した記録媒体２７がドライブ装置２２にセットされると、設備点検作業支援プログラムは記録媒体２７からドライブ装置２２を介して補助記憶装置２３にインストールされる。ネットワークからダウンロードされた設備点検作業支援プログラムは、インターフェース装置２６を介して補助記憶装置２３にインストールされる。
【００５７】
補助記憶装置２３は、インストールされた設備点検作業支援プログラムを格納すると共に、必要なファイル，データ等を格納する。メモリ装置２４は、コンピュータの起動時に補助記憶装置２３から設備点検作業支援プログラムを読み出して格納する。そして、演算処理装置２５はメモリ装置２４に格納された設備点検作業支援プログラムに従って、後述するような各種処理を実現している。
【００５８】
本実施形態の端末装置２００は、例えばタブレット型のコンピュータである。また本実施形態のサーバ３００は、例えば演算処理装置とメモリ装置とを有する一般的なコンピュータである。
【００５９】
以下に図９を参照して本実施形態の設備点検作業支援システム１００の有する各装置の機能について説明する。図９は、設備点検作業支援システムの有する各装置の機能を説明する図である。
【００６０】
本実施形態の端末装置２００には、設備点検作業支援プログラム２１０がインストールされている。本実施形態の端末装置２００では、設備点検作業支援プログラム２１０を実行することで、後述する各部の処理を実現する。
【００６１】
本実施形態の端末装置２００は、入力受付部２１１、表示制御部２１２、経路情報取得部２１３、ピン情報取得部２１４、マップ情報取得部２１５、点検結果送信部２１６、階層判定部２１７、ピン位置判定部２１８、ピン挿入部２１９を有する。
【００６２】
本実施形態の入力受付部２１１は、表示操作装置２１の操作による入力を受け付ける。表示制御部２１２は、表示操作装置２１における表示を制御する。
【００６３】
経路情報取得部２１３は、入力受付部２１１が受け付けた入力に基づき、経路定義データベース３３０から経路情報を取得する。ピン情報取得部２１４は、入力受付部２１１が受け付けた入力に基づき、ピン定義データベース３１０からピン情報を取得する。マップ情報取得部２１５は、ピン情報に含まれるマップＩＤに基づき、マップ定義データベース３５０からマップ情報を取得する。
【００６４】
点検結果送信部２１６は、選択された点検経路の点検作業が完了すると、点検結果をサーバ３００へ送信する。階層判定部２１７は、２つの点検ピンが同じ階層にあるか否かを判定する。具体的には階層判定部２１７は、２つの点検ピンが同じマップ上に存在する場合、２つの点検ピンの階層が同じであると判定する。
【００６５】
ピン位置判定部２１８は、点検ピンの位置を判定する。具体手にはピン位置判定部２１８は、点検ピンが選択された点検経路に含まれるか否かを判定する。ピン挿入部２１９は、マップ上で新たに点検ピンが設定された場合に、この点検ピンを点検経路に挿入する。
【００６６】
本実施形態のサーバ３００は、通信部３０１、点検結果格納部３０２を有する。通信部３０１は、端末装置２００との通信を行う。
【００６７】
点検結果格納部３０２は、端末装置２００から点検結果が送信されると、点検結果に応じて経路記録データベース３４０を更新し、点検結果をピン記録データベース３２０に格納する。
【００６８】
具体的には点検結果格納部３０２は、経路記録データベース３４０において、点検作業が完了した点検経路と対応する経路ＩＤのステータスを完了とし、経路ＩＤに対応付けた経路記録ＩＤを付与する。
【００６９】
また点検結果格納部３０２は、点検ピン毎の入力項目に対して入力された値と、入力された日付と時間とをピン記録データベース３２０へ格納する。また点検結果格納部３０２は、経路記録データベース３４０で経路ＩＤと対応付けて格納した経路記録ＩＤを、ピン記録データベース３２０のピンＩＤと対応させて格納する。
【００７０】
次に図１０を参照して本実施形態の端末装置２００の動作について説明する。図１０は、端末装置の動作を説明するフローチャートである。
【００７１】
本実施形態の端末装置２００は、点検作業が開始されると、経路情報取得部２１３により経路定義データベース３３０から点検経路の一覧を取得し、表示制御部２１２により点検経路の一覧を表示操作装置２１へ表示させる（ステップＳ１０１）。続いて端末装置２００は、入力受付部２１１により点検経路の選択を受け付ける（ステップＳ１０２）。
【００７２】
次に端末装置２００は、選択さたれ点検経路により点検対象の場所と、点検順とを表示させる（ステップＳ１０３）。
【００７３】
以下にステップＳ１０３について説明する。本実施形態の端末装置２００は、点検経路が選択されると、経路情報取得部２１３により、経路定義データベース３３０から選択された経路の経路情報を取得する。続いてピン情報取得部２１４は、ピン定義データベース３１０を参照し、経路情報に含まれるピンＩＤと対応するピン情報を取得する。次にマップ情報取得部２１５は、マップ定義データベース３５０から、ピン情報に含まれるマップＩＤと対応するマップ情報を取得する。
【００７４】
本実施形態のステップＳ１０３では、例えば経路情報に含まれるピンＩＤのうち、先頭にあるピンＩＤと対応するピン情報に含まれるマップＩＤを取得し、このマップＩＤと対応するマップ情報に基づき、マップを表示させても良い。このようにマップを表示させることで、端末装置２００は、点検経路において最初の点検箇所となる点検ピンが含まれるマップを表示させることができる。
【００７５】
また本実施形態の端末装置２００は、取得した経路情報に含まれるピンＩＤの並び順を点検ピンの点検順として表示させても良い。
【００７６】
端末装置２００は、ステップＳ１０３に続き、点検作業者による点検の実施を支援する（ステップＳ１０４）。
【００７７】
具体的には端末装置２００は、点検ピン毎の入力項目に対応した入力欄を有する入力画面を表示させ、入力欄に対する入力を受け付ける。端末装置２００は、受け付けた値を点検結果の値として保持する。
【００７８】
また本実施形態の端末装置２００は、入力画面の切り替えの指示に基づき、次の点検ピンに対応する入力画面又は１つ前の点検ピンに対応する入力画面を表示させる。さらに本実施形態の端末装置２００は、例えば点検経路に含まれない点検箇所に点検ピンが設定されたとき、この点検ピンを点検経路に挿入する。
【００７９】
本実施形態では、上記機能を有することで、例えば予め設定された点検順による点検作業の継続に不都合が発生した場合や、全体としては点検順に従いつつも局所的に点検順を変更して点検する場合でも、点検順を変更して点検作業を継続することができる。本実施形態における入力画面の表示の処理と、点検ピンの挿入の処理の詳細は後述する。
【００８０】
続いて端末装置２００は、点検作業の完了指示を受け付けたか否かを判定する（ステップＳ１０５）。ステップＳ１０５において完了指示を受け付けていない場合、端末装置２００かステップＳ１０４へ戻る。ステップＳ１０５において完了指示を受け付けた場合、端末装置２００は、点検結果をサーバ３００へ送信する（ステップＳ１０６）。
【００８１】
本実施形態のサーバ３００は、点検結果を受信すると、点検結果格納部３０２により経路記録データベース３４０を更新し、ピン記録データベース３２０に点検結果を格納する（ステップＳ１０７）。
【００８２】
本実施形態の端末装置２００は、点検作業の完了通知を受け付けた後は、入力画面の切り替え指示を受けた場合でも、入力画面の切り替えを行わない。また本実施形態の端末装置２００は、完了通知を受け付けた後は、点検結果の入力を受け付けない。
【００８３】
本実施形態では、以上のように点検作業の完了通知後は点検結果の入力を禁止することで、点検結果が改ざんされること等を防止できる。
【００８４】
また本実施形態の端末装置２００は、完了通知を受け付ける前は、点検結果のサーバ３００への送信を禁止しても良い。
【００８５】
以下に図１１乃至図１３を参照して、本実施形態の端末装置２００の動作について具体的に説明する。
【００８６】
図１１は、点検経路の一覧画面の例を示す図である。本実施形態の端末装置２００は、点検作業開始の指示を受けた後に、図１１に示す点検経路の一覧画面１１１を表示させる。そして端末装置２００は、一覧画面１１１において選択された経路の名称と対応する経路情報を取得する。
【００８７】
図１２は、点検対象の場所と点検順とが表示された画面の例を示す図である。図１２に示す画面１２１には、点検経路に含まれるピンＩＤのうち、先頭のピンＩＤが含まれるマップ１２２と、点検経路に含まれるピンＩＤの点検順１２３とが表示される。
【００８８】
図１２の例では、ピンの名称が設備Ａ点検である点検ピン１で示される箇所が最初の点検箇所であり、ピンの名称が設備Ｂ点検である点検ピン２で示される箇所が次の点検箇所となる。
【００８９】
本実施形態の端末装置２００は、例えば点検作業者が点検ピン１を押下（タッチ）すると、点検ピン１の点検作業の開始指示と捉え、点検ピン１に対応する入力画面を表示させる。入力画面の詳細は後述する。
【００９０】
また本実施形態の画面１２１には、点検作業の完了を示す完了通知ボタン１２４が表示されている。本実施形態では、完了通知ボタン１２４が操作されると、点検順１２３に表示された全ての点検ピンについて点検が終了したものと捉え、入力画面への切り替えを行わない。
【００９１】
以下に図１３を参照して、本実施形態の端末装置２００による入力画面の表示の処理について説明する。図１３は、点検結果の入力画面の表示の処理を説明するフローチャートである。
【００９２】
本実施形態の端末装置２００において、例えば点検経路が選択され、点検対象の場所が表示された画面において、点検対象の点検ピンが選択される（ステップＳ１３０１）。続いて端末装置２００は、選択された点検ピンを入力画面を表示させる表示対象の点検ピンとし、表示制御部２１２により対応する入力画面を表示させる（ステップＳ１３０２）。
【００９３】
具体的には表示制御部２１２は、点検ピンが選択されると、ピン定義データベース３１０を参照して選択された点検ピンと対応する入力項目を取得し、入力項目に対応した入力欄を含む入力画面を表示操作装置２１に表示させる。
【００９４】
続いて端末装置２００は、入力受付部２１１により、点検経路における点検順において、表示対象の点検ピンの１つ前の点検ピンか、又は次の点検ピンに入力画面を切り替える操作を受け付ける（ステップＳ１３０４）。切り替えの操作を受け付けると、端末装置２００は、経路定義データベース３３０を参照し、表示対象の点検ピンの１つ前の点検ピン又は次の点検ピンが存在するか否かを判断する（ステップＳ１３０４）。
【００９５】
以下の説明では、表示対象の点検ピンの１つ前の点検ピンの入力画面への入力画面の切り替えの操作を受け付けたものとして説明する。
【００９６】
ステップＳ１３０４において、表示対象の点検ピンの１つ前の点検ピンが存在しない場合、表示制御部２１２は、ステップＳ１３０１で選択された点検ピンを表示対象の点検ピンとし、入力画面の表示を継続する（ステップＳ１３０５）。
【００９７】
ステップＳ１３０４において、表示対象の点検ピンの１つ前の点検ピンが存在する場合、表示制御部２１２は、該当する点検ピンを、入力画面を表示させる表示対象の点検ピンとし（ステップＳ１３０６）、ステップＳ１３０５へ進む。
【００９８】
以下に図１４を参照して点検ピンと対応する入力画面について説明する。図１４は、点検ピンに対応する入力画面の例を示す図である。図１４では、点検ピン１のピンＩＤがＰ０００１の場合の入力画面１３１を示す。
【００９９】
Ｐ０００１に対応する入力項目は、温度と圧力である。よって入力画面１４１には、温度と圧力をそれぞれ入力するための入力欄１４２が表示されている。また本実施形態の入力画面１４１には記録ボタン１４３が表示されている。本実施形態の端末装置２００は、例えば入力欄１４２に値が入力された後に記録ボタン１４３が押下されると、入力欄１４２に入力された値と、記録ボタン１４３が押下された日時とをサーバ３００へ送信しても良い。
【０１００】
また本実施形態の入力画面１４１には、画面を切り替える切り替えボタン１４４、１４５が表示されている。本実施形態では、例えば切り替えボタン１４４が押下されると、入力画面１４１と対応する点検ピン１の前に点検が行われた点検ピンと対応する入力画面へ表示が切り替わる。
【０１０１】
また本実施形態では、例えば切り替えボタン１４５が押下されると、入力画面１３１と対応する点検ピン１の次に点検が行われた点検ピンの入力画面へ表示が切り替わる。
【０１０２】
また本実施形態の表示制御部２１２は、例えば入力画面１４１においてフリック操作が行われると、表示を入力画面１４１から画面１２１へ切り替えても良い。画面１２１は、入力画面１４１と対応する点検ピン１が含まれるマップが表示された画面である。
【０１０３】
以上のように、本実施形態では、点検経路に含まれる点検順以外の順で点検ピンと対応する入力画面を表示させることができる。したがって本実施形態では、点検経路において、局所的に入力順を変更することができ、例えば点検順に沿った点検のみでは不都合な場合等に、より適切な順で点検を行うことができる。
【０１０４】
次に、本実施形態の端末装置２００における点検ピンの挿入の処理について説明する。図１５は、点検ピンの挿入の処理を説明するフローチャートである。
【０１０５】
本実施形態の端末装置２００は、入力受付部２１１により、表示操作装置２１に表示されたマップ上において、点検ピンの選択を受け付ける（ステップＳ１５０１）。続いてピン位置判定部２１８は、選択された点検ピンが点検中の点検経路に含まれるか否かを判断する（ステップＳ１５０２）。ステップＳ１５０２において、選択された点検ピンが点検経路に含まれる場合、表示制御部２１２は、選択された点検ピンを入力画面を表示させる表示対象の点検ピンとし、表示対象の点検ピンの入力画面を表示させ（ステップＳ１５０３）、処理を終了する。
【０１０６】
ステップＳ１５０２において、選択された点検ピンが点検中の点検経路に含まれない場合、階層判定部２１７は、選択された点検ピンを含むマップが、入力画面の表示対象となっていた点検ピンを含むマップと同じ階層か否かを判断する（ステップＳ１５０４）。具体的には本実施形態の階層判定部２１７は、選択された点検ピンと、表示対象となっていた点検ピンとが同一のマップに含まれるか否かを判断する。尚、入力画面の表示対象となっていた点検ピンとは、例えばステップＳ１５０１でマップが表示される前に、最後に記録された入力画面と対応する点検ピンである。
【０１０７】
ステップＳ１５０４において階層が同じ場合、ピン挿入部２１９は、点検経路の点検順において、選択された点検ピンを、表示対象となっていた点検ピンの前に挿入し（ステップＳ１５０５）、ステップＳ１５０３へ進む。
【０１０８】
ステップＳ１５０４において階層が異なる場合、ピン挿入部２１９は、点検経路の点検順において、選択された点検ピンが含まれる階層のマップを示す階層ピンの次に挿入し（ステップＳ１５０６）、ステップＳ１５０３へ進む。
【０１０９】
以下に図１６を参照して点検ピンの挿入についてさらに説明する。図１６は、点検ピンの挿入する画面の例を示す図である。
【０１１０】
図１６に示す画面１６１には、例えば点検ピン１６２に対応する入力画面に対する入力後に表示されたマップが表示されている。この画面１６１において、点検ピン１６３が選択されると、ピン位置判定部２１８は、点検中の点検経路に点検ピン１６３が含まれるか否か判断する。
【０１１１】
図１６の例では、点検経路イの点検中であり、点検ピン１６３は点検経路イに含まれない。そこでピン位置判定部２１８は、点検ピン１６３が、点検ピン１６２とが同じ階層にあるか否かを判定する。画面１６１では、点検ピン１６２と点検ピン１６３とは、同じマップ上に表示されており、点検ピン１６２と点検ピン１６３とが同じ階層にあることが分かる。
【０１１２】
したがってピン挿入部２１９は、点検経路イの点検順において、画面１６１が表示される前の最後に記録された入力画面と対応する点検ピン１６２（点検順１の設備Ａ点検）の後で、点検ピン１６４（点検順２の設備Ｂ点検）の前に、点検ピン１６３を挿入する。
【０１１３】
本実施形態では、以上のように点検経路に含まれない点検ピンを点検経路に含めることができる。したがって本実施形態では、例えば所定の点検順で巡回中に突発的に点検が必要な箇所が見つかった場合等には、点検経路に含まれていなくても点検結果を入力することができる。さらに本実施形態では、突発的な点検の後に、元の点検順に従った点検を容易に継続することができる。
【０１１４】
次に、本実施形態の端末装置２００におけるマップの表示の処理について説明する。本実施形態では、例えばある点検箇所から次の点検箇所へ移動する際、マップを切り替えて次の点検箇所へ向かう経路を示す。
【０１１５】
図１７は、マップの表示を切り替える処理を説明するフローチャートである。
【０１１６】
本実施形態の入力受付部２１１は、ある点検ピンと対応する入力画面において、点検順における次の点検ピン又は１つ前の点検ピンの入力画面への切り替えの指示を受け付ける（ステップＳ１７０１）。表示制御部２１２は、切り替えの指示にしたがって入力画面を切り替える。
【０１１７】
続いて入力受付部２１１は、切り替え後の入力画面において、入力画面からマップ画面への表示の切り替えの指示を受け付ける（ステップＳ１７０２）。このとき本実施形態の端末装置２００は、表示制御部２１２により、切り替え前の入力画面に対応する点検ピンが画面の中央に位置するようにマップを表示させる。
【０１１８】
続いて階層判定部２１７は、ステップＳ１７０１の切り替えの指示の前に表示されていた入力画面と対応する点検ピンを含むマップの階層と、切り替えの指示後に表示されていた入力画面と対応する点検ピンを含むマップの階層とが同じか否か判定する（ステップＳ１７０３）。尚、以下の説明では、切り替えの指示の前に表示されていた入力画面と対応する点検ピンを切り替え前の点検ピンと呼び、切り替えの指示後に表示されていた入力画面と対応する点検ピンを切り替え後の点検ピンと呼ぶ。
【０１１９】
ステップＳ１７０３において、階層が同じ場合、表示制御部２１２は、ステップＳ１７０２で表示されていた入力画面と対応する点検ピンが中心になるように、ステップＳ１７０２で表示したマップの表示を制御する（ステップＳ１７０４）。
【０１２０】
ステップＳ１７０３において、階層が異なる場合、階層判定部２１７は、ピン定義データベース３１０と、経路定義データベース３３０と、を参照し、点検経路において、切り替え前の点検ピンから切り替え後の点検ピンまでに経由する階層ピンのリストを取得する（ステップＳ１７０５）。
【０１２１】
続いて階層判定部２１７は、ステップＳ１７０５において階層ピンのリストに含まれる要素（階層ピン）が存在するか否かを判断する（ステップＳ１７０６）。
【０１２２】
ステップＳ１７０６において要素が存在しない場合、端末装置２００はステップＳ１７０３へ戻る。
【０１２３】
ステップＳ１７０６において要素が存在する場合、端末装置２００は、表示制御部２１２により、リストの先頭にある階層ピンが含まれるマップを表示させ、リストから先頭にある階層ピンを削除し（ステップＳ１７０７）、ステップＳ１７０６へ戻る。
【０１２４】
本実施形態の端末装置２００では、以上の処理により、切り替え前の点検ピンが示す点検箇所から切り替え後の点検ピンが示す点検箇所までの経路を階層を辿って表示させることができる。
【０１２５】
以下に、マップの表示の切り替えについて、点検経路イにおいて、切り替え前の点検ピンがピンＩＤがＰ０００２の点検ピン（以下、点検ピンＰ２）とし、切り替え後の点検ピンをピンＩＤがＰ０００４の点検ピン（以下、点検ピンＰ４）として具体的に説明する。
【０１２６】
本実施形態の表示制御部２１２は、マップへの表示の切り替えの指示を受けると、切り替え前の点検ピンＰ２が中央にくるように、点検ピンＰ２を含むマップを表示させる。
【０１２７】
図１８は、マップの表示の例を示す第一の図である。図１８に示すマップ画面１８１では、点検ピンＰ２と対応するマップＩＤＭ０００１のマップ（以下、マップＭ０００１）が、切り替え前の点検ピンＰ２が中央にくるように表示されている。
【０１２８】
次に階層判定部２１７は、ピン定義データベース３１０を参照し、点検ピンＰ２と点検ピンＰ４の階層が同じか否かを判断する。本実施形態では、点検ピンＰ２はマップＭ０００１に含まれ、点検ピンＰ４はマップＩＤＭ０００２のマップ（以下、マップＭ０００２）に含まれる。よって、点検ピンＰ２と点検ピンＰ４は、それぞれが階層の異なるマップ上にあることがわかる。
【０１２９】
そこで階層判定部２１７は、ピン定義データベース３１０と経路定義データベース３３０を参照し、点検ピンＰ２から点検ピンＰ４までの経路に含まれる階層ピンのリストを取得する。ここで該当する階層ピンは、ピンＩＤＰ０００３の階層ピン（以下、階層ピンＰ３）である。
【０１３０】
次に表示制御部２１２は、階層ピンが存在するため、階層ピンのリストの先頭にある階層ピンＰ３と対応付けられたマップ（所属マップ）を表示させ、リストから階層ピンＰ３を削除する。
【０１３１】
本実施形態において、階層ピンＰ３と対応付けられたマップは、マップＩＤＭ０００１のマップ（以下、マップＭ０００１）である。よって表示制御部２１２は、マップＭ０００１を表示させる。
【０１３２】
図１９は、マップの表示の例を示す第二の図である。図１９に示すマップ画面１８２では、階層ピンＰ３が表示されるようマップＭ０００１が表示されている。
【０１３３】
尚、本実施形態の表示制御部２１２は、マップ画面１８２の後に、階層ピンＰ３が画面の中央になるようにマップＭ０００１を表示させても良い。
【０１３４】
図２０は、マップの表示の例を示す第三の図である。図２０に示すマップ画面１８３では、階層ピンＰ３が画面の中央になるようにマップＭ０００１が表示されている。
【０１３５】
次に階層判定部２１７は、再度階層ピンのリストに階層ピンが存在するか否かを判断する。このときリストには、階層ピンは存在しない。
【０１３６】
したがって表示制御部２１２は、切り替え後の点検ピンＰ４と対応付けられたマップを、点検ピンＰ４が中央にくるように表示させる。尚、本実施形態の表示制御部２１２は、点検ピンＰ４を中央にしてマップを表示させる前に、点検ピンＰ４と対応付けられたマップ全体を表示させても良い。
【０１３７】
図２１は、マップの表示の例を示す第四の図である。図２１に示すマップ画面１８４では、点検ピンＰ４と対応付けられたマップ全体が表示されている。本実施形態において、点検ピンＰ４と対応付けられたマップは、マップＩＤがＭ０００２のマップ（以下、マップＭ０００２）である。よってマップ画面１８４には、マップＭ０００２が表示されている。
【０１３８】
図２２は、マップの表示の例を示す第五の図である。図２２に示すマップ画面１８５では、点検ピンＰ４が画面の中央にくるように、マップＭ０００２が表示されている。
【０１３９】
以上のように本実施形態では、例えば入力画面を点検ピンＰ２の入力画面から点検Ｐ４の入力画面へ切り替え、マップの表示に切り替えると、点検ピンＰ２から点検ピンＰ４まで移動の際の経路をマップを切り替えて表示させる。また本実施形態では、点検ピンＰ２と点検ピンＰ４とがそれぞれ異なる階層のマップに存在する場合には、階層を辿ってマップの表示を切り替える。
【０１４０】
したがって本実施形態によれば、点検作業者に、切り替え前の点検ピンが示す箇所から、切り替え後の点検ピンが示す箇所までの移動経路を容易に思い出させることができる。このため本実施形態では、点検作業者が設備内で道に迷ったり、次の点検箇所へ向かう際に遠回りをすること等を防止でき、点検作業の負荷を軽減することができる。
【０１４１】
尚、図１８から図２２では図示していないが、画面１８１から画面１８５には、それぞれの画面に表示されているマップの名称を表示させても良い。マップの名称を表示させることで、点検作業者は画面に表示されている場所がどこか容易に把握することができる。
【０１４２】
本発明は、具体的に開示された実施例に限定されるものではなく、特許請求の範囲から逸脱することなく、種々の変形や変更が可能である。
【符号の説明】
【０１４３】
１００  設備点検作業支援システム
２００  端末装置
２１０  設備点検作業支援プログラム
２１１  入力受付部
２１２  表示制御部
２１７  階層判定部
２１８  ピン位置判定部
２１９  ピン挿入部
３００  サーバ
３１０  ピン定義データベース
３２０  ピン記録データベース
３３０  経路定義データベース
３４０  経路記録データベース
３５０  マップ定義データベース
【図１】
2015087425.tif 000003
【図２】
2015087425.tif 000004
【図３】
2015087425.tif 000005
【図４】
2015087425.tif 000006
【図５】
2015087425.tif 000007
【図６】
2015087425.tif 000008
【図７】
2015087425.tif 000009
【図８】
2015087425.tif 000010
【図９】
2015087425.tif 000011
【図１０】
2015087425.tif 000012
【図１１】
2015087425.tif 000013
【図１２】
2015087425.tif 000014
【図１３】
2015087425.tif 000015
【図１４】
2015087425.tif 000016
【図１５】
2015087425.tif 000017
【図１６】
2015087425.tif 000018
【図１７】
2015087425.tif 000019
【図１８】
2015087425.tif 000020
【図１９】
2015087425.tif 000021
【図２０】
2015087425.tif 000022
【図２１】
2015087425.tif 000023
【図２２】
2015087425.tif 000024
【国際調査報告】
2015087425.tif 000025
2015087425.tif 000026
2015087425.tif 000027
2015087425.tif 000028